(57)【要約】【課題】簡単な操作で、セル苗の鉢上を安全、確実、容易に行える苗移植補助器を提供すること。【解決手段】脱着自在のピンアレー３を配置したベースフレーム１に接続せれた操作レバー４の動作を、垂直伸縮部４ａを介してセルトレー支持部２が垂直に上下し、セルトレー５も一緒に上下動する。この時、セル内の苗の根６ａは全て浮上し、セルトレー５の入替えが出来る。また、セル数の異なるセルトレー５に対応したピンアレー３への取替が容易であり、これに対応させる為の、フォーク２ｂと、トレー受けフォーク２ｅは、フォークスライドバー２ａ上を左右に調整できる。すなわち、セルトレー５のセル数の異なるトレーにも対応できると共に、挿入時点で、セルトレー５の位置決めが完了する事を特徴とした苗移植補助器。【選択図】  図４
2004166678.tif 000002
【特許請求の範囲】
【請求項１】
脱着自在のピンアレー３を配置した、ベースフレーム１に接続された操作レバー４の動作を垂直伸縮部４ａを介して、セルトレー支持部２が、垂直上下する事を特徴とするセル苗移植補助器。
【請求項２】
セル数の異なるセルトレー５に対応したピンアレー３は、容易に交換できる上、そのピン数の異なるピンアレー３のピン配列に対応するよう、フォーク２ｂとトレー受けフォーク２ｅは、フォークスライドバー２ａをガイドとして、左右に調整できると共に、トレー受けフォーク２ｅは、セル挿入時に台として使用出来る事を特徴とするセル苗移植補助器。
【発明の詳細な説明】
【発明の属する技術分野】
本発明は、セルトレー５にて育苗した苗の移植補助器に関するものであり、更に詳しくは、野菜や花卉のセルトレー苗６を容易に早くかつ、確実に取出せるようにしたセルトレー苗６の移植補助器に関するものである。
【０００１】
【従来の技術】
セルトレー５で育苗された苗の移植作業は、セル内で発芽させた苗６の鉢上げ又は、定植作業である。
【０００２】
移植作業においては、苗６の茎を持ってセルから引き抜き、鉢上げ又は定植する方法がとられている。
【０００３】
移植作業においては、根の張り具合、土の締まり具合等により茎が切れたり、根が抜けたり、また、接木を施した苗も有り、苗６のセルからの引抜き作業の事故が多い。
【０００４】
【発明が解決しようとする課題】
従来の移植作業において、セルトレー５から苗の取出しを補助する簡易な道具が利用されているが、セルトレー５の各セル底部に設けられた水抜き穴５ａへ対応したピンアレー３と、セルトレー５を押し下げる押下板、及び簡易な位置決め板により構成されている。これ使用する事により、セルトレー５から苗６の取出しは容易となるが、一度押下されたセルトレー５は、全ての苗６の取出しが完了しなければ取替えが出来ず作業効率が低く、多人数による移植作業においては、複数台必要となるうえ、セル数の異なるセルトレー５にも対応出来ない等の問題があった。
【０００５】
また、上記道具においては、簡易なガイド板を有するが、ピンアレー３とセルトレー５の位置合わせに多少の熟練を要し、作業効率も低い。
【０００６】
本発明は、上述の公知されているピンアレー３を使用し、各種セル数の異なるセルトレー５に対応し、またセルトレー５の位置合わせが確実に出来、また迅速なセルトレー５の交換を可能とし、しかも熟練等を必要とせず簡単に効率良く、移植作業を可能とする移植補助器を提供することを課題とする。
【０００７】
【課題を解決するための手段】
前述の課題を解決するために、本発明が採用した方法は、前述の特許請求の範囲の欄に記載した通りである。
【０００８】
この様に構成された請求項１は、請求項２のセルトレー支持部２で構成せれるフォーク２ｂ及び、トレー受けフォーク２ｅによって、薄く柔軟性に富んだセルトレー５は、トレー受けフォーク２ｅによりほぼ平らに保持され、本器への挿入を安定化させると共に、左右の挿入位置が決定され且、本器奥の停止位置迄挿入されると、セルトレー５の前後左右の位置決めが完了する。
【０００９】
従来の技術では、セルトレー５から苗全てを取出し完了する迄は、セルトレー５は排除出来なかったが、本発明に於いては、セルトレー５を確実に保持する為、セルトレー５の上下動が可能となり、セルトレー５の入替えがスムーズかつ、迅速に行える。
【００１０】
また、上述のセルトレー支持部２で構成されるフォークスライドバー２ａと、フォーク２ｂ及びトレー受けフォーク２ｅの左右の間隔は調整自在となっている為、多種類のセルトレー５にも対応可能である。
【００１１】
【発明の実施の形態】
本発明の実施の形態を添付図面に従って説明する。本発明は、公知のピンアレー３による、セルトレー５の苗の根６ａを浮上させる方法を採用する。
これは、セルトレー５が国外にて開発され、国内で普及されて久しいが、この間欧米諸国、及び国内においても公知の方法である。
【００１２】
符号１に示すものは、苗移植補助器のベースフレームである。ベースフレーム１後方の左右には一対の伸縮用外筒４ｂが固定されており、内側底部には弾性体４ｄが装着されている。
【００１３】
ベースフレーム１の上面にはピンアレー３が配置され、セル数の異なるセルトレー５の使用を可能とする為、脱着交換自在に配置し且、ベースフレーム１の両側には、ピンアレーの位置決め用ピンアレーガイド１ａを設けてある。
【００１４】
左右一対の伸縮用内筒４ｃには、フォークスライドバー２ａが固定されており、フォークスライドバー２ａにはトレー受けフォーク２ｅとフォーク２ｂが固定ピン２ｆにて固定されており又、フォークスライドバー２ａには、セルトレー５のセル数の異なるセルトレー５への対応を可能とする為の固定ピン用のピン穴２ｇを配している。
【００１５】
符号２ｃ、２ｄは、セルトレー５の保持用２本爪フォークであり、これらのフォーク爪の間隙２ｈにセルトレー５を挿入し保持する。又、トレー受けフォーク２ｅは、フォーク２ｂよりも下爪を長くし、セルトレー５の挿入時の一時受台として機能し、挿入時の円滑を計るものである。
【００１６】
更に、伸縮用内筒４ｃの上部にはコ字型連結部４ｅが固定されており、操作レバー４へ連結される。符号４ｆは操作レバー４の支持具であり、上端には通穴を設け、操作レバー４端部に設けた貫通穴とを固定ネジ４ｇにて操作レバー４の上下動を妨げない程度に固定されている。
【図面の簡単な説明】
【図１】本発明によるセル苗移植補助器の斜視図である。
【図２】本発明によるセル苗移植補助器のセルトレー支持部を示す部分拡大斜視図である。
【図３】本発明によるセル苗移植補助器のピンアレーを示す斜視図である。
【図４】本発明によるセル苗移植補助器の部分側面図である。
【図５】本発明によるセル苗移植補助器のセルトレーを示す斜視図である。
【図６】本発明によるセル苗移植補助器の動作前説明図である。
【図７】本発明によるセル苗移植補助器の動作説明図である。
【符号の説明】
１．    ベースフレーム
１ａ．  ピンアレーガイド
２．    セルトレー支持部
２ａ．  フォークスライドバー
２ｂ．  フォーク
２ｃ．  上部フォーク
２ｄ．  下部フォーク
２ｅ．  トレー受けフォーク
２ｆ．  固定ピン
２ｇ．  ピン穴
２ｈ．  間隙
３．    ピンアレー
３ａ．  ピン
４．    操作レバー
４ａ．  垂直伸縮部
４ｂ．  伸縮用外筒
４ｃ．  伸縮用内筒
４ｄ．  弾性体
４ｅ．  コ字型連結部
４ｆ．  支持具
４ｇ．  固定ネジ
５．    セルトレー
５ａ．  水抜き穴
６．      苗
６ａ．  苗の根
【図１】
2004166678.tif 000003
【図２】
2004166678.tif 000004
【図３】
2004166678.tif 000005
【図４】
2004166678.tif 000006
【図５】
2004166678.tif 000007
【図６】
2004166678.tif 000008
【図７】
2004166678.tif 000009